(57)【要約】【課題】電気機器の取付けレールへの取付けでは、機器の背面にレールを把持する一対の固定爪、可動爪によって固定されるのが一般的である。しかし、固定爪である係合突起を機器と一体に形成すると、機器側の筐体の金型による製造が複雑になるという問題がある。また、固定爪を持たない機器にレール取付け具を取付ける場合、固定爪、可動爪を別々に用意して取付けることとなり、部品点数が増え、取付け作業が複雑化するという問題がある。【解決手段】電気機器を取付けレールに取り付けるための取付け具として、取付けレールに嵌合可能な２つの爪部と、該２つの爪部を接続する弾性体からなる弾性部で構成し、前記２つの爪部と弾性部が一体に形成されており、前記弾性部の復元力によって前記２つの爪部で前記取付けレールを把持可能な構造とする。【選択図】図１
2015207360.tif 000002
【特許請求の範囲】
【請求項１】
電気機器を取付けレールに取り付けるための取付け具であって、
取付けレールに嵌合可能な２つの爪部と、該２つの爪部を接続する弾性体からなる弾性部で構成し、
前記２つの爪部と弾性部が一体に形成されており、
前記弾性部の復元力によって前記２つの爪部で前記取付けレールを把持可能な構造であることを特徴とする取付け具。
【請求項２】
請求項１に記載の取付け具であって、
前記取付け具は、樹脂で一体に形成されていることを特徴とする取付け具。
【請求項３】
請求項１または２のいずれか１項に記載の取付け具であって、
前記２つの爪部は固定爪と可動爪であって、
該固定爪と可動爪は、前記取付け具を前記電気機器に取付けるためのネジ孔を有していることを特徴とする取付け具。
【請求項４】
請求項１から３のいずれか１項に記載の取付け具であって、
前記弾性部の前記電気機器への取付け面は、前記２つの爪部の前記電気機器への取付け面よりも突出していることを特徴とする取付け具。
【請求項５】
電機機器本体と、
該電気機器本体とは別体の取付けレールに取り付けるための取付け具を有し、
該取付け具は、取付けレールに嵌合可能な２つの爪部と、該２つの爪部を接続する弾性体からなる弾性部で構成し、前記２つの爪部と弾性部が一体に形成されており、
前記２つの爪部を介して前記取付け具が前記電気機器に取付けられており、
前記取付け具の前記弾性部の復元力によって前記２つの爪部で前記取付けレールを把持可能とすることを特徴とする取付け具つき電気機器。
【請求項６】
取付けレールに取り付けるための取付け具を装着可能な電機機器であって、
該取付け具は、取付けレールに嵌合可能な固定爪と可動爪と、該固定爪と可動爪を接続する弾性体からなる弾性部で構成し、該固定爪と可動爪と弾性部が一体に形成されており、
前記固定爪を固定するための取付穴と、前記可動爪を可動状態で取付けるための取付穴とを有することを特徴とする電気機器。
【請求項７】
請求項５または６のいずれか１項に記載の電気機器であって、
さらに、前記取付けレールに取り付けるためのレール嵌合溝を有し、
該レール嵌合溝内に前記弾性部が収納可能な溝を設けていることを特徴とする電気機器。
【請求項８】
請求項７に記載の電気機器において、
前記電気機器は回路遮断器であって、
前記レール嵌合溝内に設けた溝は、前記回路遮断器の相間の遮蔽のために隔壁を作るための壁で形成されていることを特徴とする電気機器。
【発明の詳細な説明】
【技術分野】
【０００１】
本発明は、電気機器を取付けレールに取付けるための取付け具に関する。
【背景技術】
【０００２】
電気機器のIEC規格に準拠した取付けレール等への取付けでは、機器の背面にレールを把持する一対の固定爪、可動爪によって固定される。
【０００３】
この分野に関する従来技術として、特開２０１１−１４４９９号公報（特許文献１）がある。特許文献１には、固定爪である係合突起が回路遮断器と一体に形成され、可動爪である、取付レールに係合し得る、ばね部とスライド部と爪部からなる取付装置によってレールを把持する方向に付勢する構成が開示されている。
【先行技術文献】
【特許文献】
【０００４】
【特許文献１】特開２０１１−１４４９９号公報
【発明の概要】
【発明が解決しようとする課題】
【０００５】
前記特許文献１は、固定爪である係合突起を機器と一体に形成する必要がある。固定爪を形成する機器側の筐体は、金型による製造が一般的である。金型製造によりL字状の固定爪を形成するには、金型が複雑になり、また、製造コストが増すという問題がある。また、可動爪はその近傍にばねを収納するスペースが必要なため、機器背面から機器内部のスペースを圧迫するという課題もある。
【０００６】
また、固定爪を持たない機器にレール取付け具を取付ける場合、固定爪、可動爪を別々に用意して取付けることとなり、部品点数が増え、取付け作業が複雑化するという問題がある。
【０００７】
よって、本発明の目的は、機器側の製造を容易とし、部品点数の削減、取付け作業性の向上を図った電気機器の取付け具を提供することである。
【課題を解決するための手段】
【０００８】
上記課題を解決するために、例えば特許請求の範囲に記載の構成を採用する。本発明は上記課題を解決する手段を複数含んでいるが、その一例を挙げるならば、電気機器を取付けレールに取り付けるための取付け具であって、取付けレールに嵌合可能な２つの爪部と、該２つの爪部を接続する弾性体からなる弾性部で構成し、前記２つの爪部と弾性部が一体に形成されており、前記弾性部の復元力によって前記２つの爪部で前記取付けレールを把持可能な構造とする。
【発明の効果】
【０００９】
本発明によれば、機器側の製造を容易とし、部品点数の削減、取付け作業性の向上を図った電気機器の取付け具を提供することができる。
【図面の簡単な説明】
【００１０】
【図１】本発明の実施例１の回路遮断器の斜視図である。
【図２】本発明の実施例１の取付け具の斜視図である。
【図３】本発明の実施例１の取付け具の構造図である。
【図４】本発明の実施例２の取付け具の斜視図である。
【図５】本発明の実施例３の取付け具と、それを装着した回路遮断器の側面図である。
【発明を実施するための形態】
【００１１】
本発明の実施例を、以下、図面を用いて説明する。
【実施例１】
【００１２】
本実施例は、取付けレールに取付ける電気機器の一つとして、回路遮断器を例に説明する。
分電盤や配電盤の筐体内に設置される回路遮断器は、筐体内に設けられた取付板に固定されている、例えばIEC規格に準拠した取付レールに取付けられる。
【００１３】
図１は本実施例の回路遮断器の裏面側から見た斜視図である。図１において、回路遮断器１は、裏面に設けられたレール嵌合溝２を有し、図面の左右に延びる、分電盤等の筐体内に設けられた取付板に固定されている取付レールに嵌合する。３は回路遮断器１を取付レールに取付けるための取付け具であり、回路遮断器１に装着した状態を示している。
【００１４】
図２に取付け具３の斜視図を示す。図２において、取付け具３は、取付けレールに嵌合可能な２つの爪部である、固定爪４、可動爪５と、それらをつなぐ弾性体からなる弾性部６から構成されている。
【００１５】
図３に取付け具３の構造図として、（Ａ）正面図、（Ｂ）側面図、（Ｃ）背面図を示す。図３に示すように、取付け具３は、固定爪４、可動爪５の間を弾性部６で接続して構成し、取付けレールへの取付けの際には弾性部を引き伸ばして撓ませることによって爪の間隔を拡げて爪の間に取付レールを入れることができ、かつ、弾性部の復元力によって取付レールを把持する構造としている。
【００１６】
本実施例では、取付け具３として、固定爪４、可動爪５、弾性部６を樹脂で一体に形成することで、部品点数の削減を図っている。なお、取付け具３は樹脂でなくてもよく、弾性部６が弾性を有する構造であれば良いので、例えば金属で構成して、弾性部６をバネ構造としても良い。
【００１７】
また、固定爪４、可動爪５には、回路遮断器への取付け用のネジ孔が設けられている。また、これに対する回路遮断器側には、固定爪を固定するための取付穴と、可動爪を可動状態で取付けるための取付穴とが設けられている。これらのネジ孔と取付穴を介して、図１に示すように、ネジにより取付け具を２つの爪部を介して回路遮断器に固定する。なお、回路遮断器への取付けは、ネジに限定されず、例えばスナップ等で固定しても良い。
【００１８】
また、本実施例では、固定爪４を横長、可動爪５を縦長形状として取付け用のネジ孔をそれぞれ２つ設けるようにして、回路遮断器への固定を確実にするようにした。しかし、これに限定されるものではなく、例えば、ネジ孔を１つとしても良い。
【００１９】
また、図３（Ｂ）側面図に示すように、取付け具３は、固定爪４、可動爪５の回路遮断器への取付け用のネジ孔を介した回路遮断器側のネジ取付け面に対して、弾性部６の回路遮断器側の取付け面が１段低い位置、図面上では右方向、に配置されている。すなわち、弾性部の機器への取付け面は、２つの爪部の機器への取付け面よりも突出している。これは、図１に示すように、回路遮断器１に設けられたレール嵌合溝２に設けた溝７内に弾性部６を収納することで、取付レールへの取付け後の回路遮断器の取り付け高さを低減するためである。この溝７は、例えば回路遮断器が三相用であれば各相間の遮蔽のために隔壁が２つ必要であり、その隔壁を作るための壁が裏面からは隔壁形成用の溝として形成されている。すなわち、隔壁形成用の溝を流用して弾性部収納用の溝としている。よって、弾性部６を隔壁形成用の溝である溝７内に収納することによって、機器背面から機器内部のスペースを圧迫することなく、取付け具を回路遮断器に固定することが出来る。なお、回路遮断器側で固定爪４、可動爪５のネジ取付け位置を掘り下げることにより、弾性部６と、固定爪４、可動爪５の回路遮断器側への取付け面を同一にすることもできる。
【００２０】
以上のように、本実施例は、電気機器を取付けレールに取り付けるための取付け具であって、取付けレールに嵌合可能な２つの爪部と、該２つの爪部を接続する弾性体からなる弾性部で構成し、前記２つの爪部と弾性部が一体に形成されており、前記弾性部の復元力によって前記２つの爪部で前記取付けレールを把持可能な構造とする。
【００２１】
これにより、電気機器を取付レールに取付けるための取付け具を、電気機器に外付けとすることで、電気機器側の固定爪構造を不要と出来る。そのために、電気機器側の金型製造において、金型の抜き方向が上下方向のみとでき金型が安価となり、型開きも容易となり製造工程が短くて済む。また、一体形成のために部品点数の削減がはかれ、取付け作業性の向上を図ることが出来る。
【００２２】
また、回路遮断器用の取付け具であれば、固定爪、可動爪を接続する弾性部を機器に設けた溝に収納できるので、機器背面から機器内部のスペースを圧迫することなく、機器内部のスペースの圧迫を最小限に留めつつ、取付け具を回路遮断器に固定することが出来る。
【００２３】
なお、回路遮断器以外の電気機器でも、レール嵌合溝に溝を設け、その溝内に弾性部を収納することが出来る。この場合には、回路遮断器のように、機器背面から機器内部のスペースを圧迫しないようにはできないが、取付レールへの取付け後の電気機器の取り付け高さを低減することが出来る。
【００２４】
また、外付けの取付け具とするので、固定爪がない機器の取付けも可能となる。
【実施例２】
【００２５】
図４は、本実施例の取付け具の斜視図である。本実施例は、三相用回路遮断器を取付レールに取付けるための取付け具の例である。
【００２６】
図４において、取付け具８は、固定爪４に対して、可動爪５とそれをつなぐ弾性部６が２組からなっている。これは、実施例１の取付け具と比較して、取付け具の回路遮断器への取付けを確実とするためと、取付レールへの把持力を強化するために、可動爪５とそれをつなぐ弾性部６を２組とした点が異なる。また、三相用回路遮断器であれば、各相間の遮蔽のための隔壁が２つ必要であるので、その隔壁を作るための隔壁形成用の溝が２つ形成できるので、その２つの隔壁形成用の溝を有効利用した例である。なお、本実施例の取付け具８の形状はこれに限定されるものではなく、例えば、２つの可動爪５を連結することで、回路遮断器への取付け具の取付け作業を容易にすることもできる。
【００２７】
本実施例によれば、取付け具の回路遮断器への取付けの確実性確保と、取付レールへの把持力を強化できる。
【実施例３】
【００２８】
本実施例は、レール嵌合溝がない機器でも使用できる取付け具の例を説明する。
【００２９】
図５に本実施例の取付け具と、その取付け具を装着した回路遮断器の図を示す。図５において、（Ａ）は取付け具の側面図、（Ｂ）は、取付け具を装着した回路遮断器の側面図を示している。
【００３０】
図５（Ａ）に示すように、本実施例の取付け具９は、実施例１に比べて、弾性部６と、固定爪４、可動爪５の回路遮断器側への取付け面を同一としている点が異なる。
【００３１】
そして、図５（Ｂ）に示すように、回路遮断器へ固定爪４、可動爪５を介してネジまたはそれ以外の固定手段により取付け具が取付けられる。この際、固定爪４、可動爪５の回路遮断器側への取付け面に応じて取付け具９の取付け高さが変わる。本実施例では、弾性部６と、固定爪４、可動爪５の回路遮断器側への取付け面を同一としたが、固定爪４、可動爪５の取付け面に対して、弾性部６の取付け面の高さを低くしても良い。
【００３２】
以上のように、本実施例によれば、レール嵌合溝がない機器でも使用できる、取付レールに取付けるための取付け具を提供できる。
【００３３】
なお、本実施例では、レール嵌合溝に左右されない取付け具と出来るので、実施例１に示したような、固定爪４が横長で、可動爪５が縦長形状のT字状の構造とする必要はなく、単に、固定爪と可動爪とその間を接続する弾性部で構成された種々の形状の取付け具とすることが出来る。
【００３４】
また、本実施例では回路遮断器について説明したが、取付けレールに取付ける電気機器であれば良く、例えばPLC等の制御機器にも適用可能であることは言うまでもない。
【００３５】
以上説明したように、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３６】
１：回路遮断器、
２：レール嵌合溝、
３，８，９：取付け具、
４：固定爪、
５：可動爪、
６：弾性部、
７：溝、
【図１】
2015207360.tif 000003
【図２】
2015207360.tif 000004
【図３】
2015207360.tif 000005
【図４】
2015207360.tif 000006
【図５】
2015207360.tif 000007